(57)【要約】  本発明は、概して、「需要に応じた」乾燥消去書き込み表面を生成するための組成物、支持表面にそれを適用するための流体アプリケータ、ならびにそれを生成する方法、およびその上に乾燥消去書き込みされたマーキングを作製する方法に関する。【特許請求の範囲】
【請求項１】
流体アプリケータであって、
流体を含む筐体と、
前記流体を分注するための適用要素と、を備え、前記流体は、溶媒、ならびに酸化物、ケイ酸塩、亜鉛酸塩、アルミン酸塩、チタン酸塩、およびこれらの混合物から選択される、可溶性化合物を含み、前記可溶性化合物は、前記溶媒中で可溶性である、流体アプリケータ。
【請求項２】
前記流体は、ｐＨ指示薬をさらに含む、請求項１に記載の流体アプリケータ。
【請求項３】
前記ｐＨ指示薬は、ｏ−クレゾールフタレイン、フェノールフタレイン、チモールフタレイン、ｍ−ニトロフェノール、ｐ−ニトロフェノール、シアニン、ビス−（２，４−ジニトロ−フェニル）酢酸エチルエステル、およびこれらの混合物から成る群より選択される、請求項２に記載の流体アプリケータ。
【請求項４】
前記溶媒は、水性であり、前記可溶性化合物は、酸化物、ケイ酸塩、亜鉛酸塩、アルミン酸塩、およびこれらの混合物から選択される、水溶性化合物である、いずれかの先行請求項に記載の流体アプリケータ。
【請求項５】
前記水溶性化合物は、酸化亜鉛、メタケイ酸塩、ピロケイ酸塩、オルトケイ酸塩、酸化アルミニウム、水酸化アルミニウム、およびこれらの混合物から成る群より選択される、請求項４に記載の流体アプリケータ。
【請求項６】
前記溶媒は、水性であり、前記可溶性化合物は、少なくとも１つのアルカリ金属ケイ酸塩を含む水溶性化合物である、請求項１〜３のいずれかに記載の流体アプリケータ。
【請求項７】
前記水溶性化合物は、ケイ酸ナトリウムである、請求項４に記載の流体アプリケータ。
【請求項８】
前記溶媒は、有機溶媒であり、前記可溶性化合物は、チタンアルコキシド、チタンアルカンジオネート（ａｌｋａｎｅｄｉｏｎａｔｅ）、チタンラクテート、チタンアミノアルコキシド、およびこれらの混合物から成る群より選択される、チタン酸塩である、請求項１に記載の流体アプリケータ。
【請求項９】
前記流体は、樹脂および／またはシランをさらに含む、いずれかの先行請求項に記載の流体アプリケータ。
【請求項１０】
前記流体は、アミノ官能性シラン、アルキル官能性シラン、エポキシ官能性シラン、フルオロアルキル官能性シラン、ビニル官能性シランから成る群より選択される、シランをさらに含む、請求項８に記載の流体アプリケータ。
【請求項１１】
前記流体アプリケータは、マーカ、それに連結される適用要素を含むボトル、およびスプレー缶から成る群より選択される、請求項１〜９のいずれかに記載の流体アプリケータ。
【請求項１２】
需要に応じた乾燥消去表面を生成する方法であって、
請求項１〜１１のいずれかに記載の流体アプリケータを提供することと、
支持基板上に前記流体を分注することと、
前記流体を乾燥させて、前記支持基板上に需要に応じた乾燥消去表面を提供することと、を含む、方法。
【請求項１３】
前記流体が乾燥した後に、インクリザーバおよび多孔性ニブから成る乾燥消去毛管作用マーカを提供することであって、前記インクリザーバは、乾燥消去インク組成物を含有する、提供することと、前記毛管作用マーカの前記ニブを、前記需要に応じた乾燥消去表面に接触させて、書き込まれたマークを作製することと、をさらに含む、請求項１２に記載の方法。
【請求項１４】
前記書き込まれたマークを消去することをさらに含む、請求項１３に記載の方法。
【請求項１５】
需要に応じた乾燥消去表面を生成するための組成物であって、
溶媒と、
酸化物、ケイ酸塩、亜鉛酸塩、アルミン酸塩、チタン酸塩、およびこれらの混合物から選択される、可溶性化合物と、を含み、前記可溶性化合物は、前記溶媒中で可溶性である、組成物。
【請求項１６】
ｐＨ指示薬をさらに含む、請求項１５に記載の組成物。
【請求項１７】
前記ｐＨ指示薬は、ｏ−クレゾールフタレイン、フェノールフタレイン、チモールフタレイン、ｍ−ニトロフェノール、ｐ−ニトロフェノール、シアニン、ビス−（２，４−ジニトロ−フェニル）酢酸エチルエステル、およびこれらの混合物から成る群より選択される、請求項１６に記載の組成物。
【請求項１８】
前記溶媒は、水性であり、前記可溶性化合物は、酸化物、ケイ酸塩、亜鉛酸塩、アルミン酸塩、およびこれらの混合物から選択される、水溶性化合物である、請求項１５〜１７のいずれかに記載の組成物。
【請求項１９】
前記水溶性化合物は、酸化亜鉛、メタケイ酸塩、ピロケイ酸塩、オルトケイ酸塩、酸化アルミニウム、水酸化アルミニウム、およびこれらの混合物から成る群より選択される、請求項１８に記載の組成物。
【請求項２０】
前記水溶性化合物は、ケイ酸ナトリウムである、請求項１７に記載の組成物。
【請求項２１】
前記溶媒は、有機溶媒であり、前記可溶性化合物は、チタンアルコキシド、チタンアルカンジオネート（ａｌｋａｎｅｄｉｏｎａｔｅ）、チタンラクテート、チタンアミノアルコキシド、およびこれらの混合物から成る群より選択される、チタン酸塩である、請求項１５に記載の組成物。
【請求項２２】
樹脂および／またはシランをさらに含む、請求項１５〜２１のいずれかに記載の組成物。
【請求項２３】
前記組成物は、アミノ官能性シラン、アルキル官能性シラン、エポキシ官能性シラン、フルオロアルキル官能性シラン、ビニル官能性シラン、およびこれらの混合物から成る群より選択される、シランを含む、請求項２２に記載の組成物。
【請求項２４】
請求項１〜１１のいずれかに記載の流体アプリケータと、インクリザーバおよび多孔性ニブから成る乾燥消去毛管作用マーカと、を含む、キットであって、前記インクリザーバは、乾燥消去インク組成物を含有する、キット。
【発明の詳細な説明】
【技術分野】
【０００１】
本発明は、概して、乾燥消去書き込み表面、およびより具体的には、「需要に応じた」乾燥消去書き込み表面を生成するための組成物、支持基板にそれを適用するための流体アプリケータ、ならびに「需要に応じた」乾燥消去書き込み表面を生成する、およびその上に乾燥消去マーキングを作製するための方法に関する。
【背景技術】
【０００２】
乾燥消去書き込み表面またはホワイトボードは、公知である。典型的な乾燥消去書き込み表面（「ホワイトボード」）は、エナメル、フィルム、コーティング、もしくは陶器仕上げといった、比較的非多孔性の表面でコーティングされる、ホワイトボードまたは基板を含む。ホワイトボードは、典型的に、教室および会議室においては、黒板の代用品として、かつ住宅においては、メッセージ交換、リマインダ、リスト等を容易にする、別個のメモ帳サイズのボードとして提供される。特別設計されたマーカである「乾燥消去」マーカは、ホワイトボード上に書き込むために採用される。マーカのインクは、基板上で乾燥する一方、インクは、基板表面に結合せず、書き込みは、柔らかい黒板消し、布、指等で容易に除去することができる。
【発明を実施するための形態】
【０００３】
本発明は、「需要に応じた」乾燥消去書き込み表面を生成するための組成物を有利に提供する。本発明に従う組成物、流体アプリケータ、および方法を使用して、消費者は、メッセージ交換、リマインダ、リスト等を容易にするために、一時的に使用することができる一方で、同時に、（永続的な）望ましくない書き込まれたマークに対する保護および耐汚染性を提供する、乾燥消去書き込み表面としての使用のために、任意の支持基板を容易にかつ迅速に適用させることができる。有益に、多孔性および非多孔性の支持基板の両方を、本発明に従う組成物、流体アプリケータ、および方法を使用して、乾燥消去書き込み表面としての使用のために迅速にかつ容易に適用させることができる。
【０００４】
「需要に応じた」乾燥消去書き込み表面を生成するための組成物における使用のための好適な可溶性化合物の例は、周期表の第２ｂ、３ａ、および４ａ〜ｂ族のうちの１つ以上からの元素、好ましくは、ケイ素、亜鉛、アルミニウム、またはチタンといった元素を含む、無機化合物として分類することができる。一実施形態において、「需要に応じた」乾燥消去書き込み表面を生成するための組成物は、溶媒と、酸化物、ケイ酸塩、亜鉛酸塩、アルミン酸塩、チタン酸塩、およびこれらの混合物から選択される、可溶性化合物と、を含み、可溶性化合物は、溶媒中で可溶性である。
【０００５】
ケイ酸塩の例としては、金属ケイ酸塩、好ましくは、アルカリ金属ケイ酸塩が挙げられる。ケイ酸塩の好ましい例は、水溶性ケイ酸塩である。水溶性金属ケイ酸塩の例は、ケイ酸カリウム、例えば、ケイ酸のカリウム塩である。追加の例は、ケイ酸ナトリウム、例えば、ケイ酸のナトリウム塩である。好適な水溶性ケイ酸カリウムは、商標名ＫＡＳＩＬ（商標）ケイ酸塩（ＰＱ  Ｃｏｒｐｏｒａｔｉｏｎ，Ｍａｌｖｅｒｎ，Ｐａ）の下で販売されている。ケイ酸カリウム溶液の具体的な商業的に入手可能な例は、ＫＡＳＩＬ（登録商標）２１３０ケイ酸カリウム溶液（ＰＱ  Ｃｏｒｐｏｒａｔｉｏｎ，Ｍａｌｖｅｒｎ，Ｐａ）である。好適な水溶性ケイ酸ナトリウムは、商標名ＳＴＡＲ（商標）ケイ酸塩（ＰＱ  Ｃｏｒｐｏｒａｔｉｏｎ，Ｍａｌｖｅｒｎ，Ｐａ）の下、および商標名ＵＮＩＦＬＯ（商標）（Ｏｃｃｉｄｅｎｔａｌ  Ｃｈｅｍｉｃａｌ  Ｃｏｒｐ．，ＴＸ）の下で販売されている。ケイ酸ナトリウム溶液の具体的な商業的に入手可能な例は、Ｎ（登録商標）３８ケイ酸ナトリウム溶液（ＰＱ  Ｃｏｒｐｏｒａｔｉｏｎ，Ｍａｌｖｅｒｎ，Ｐａ）である。ケイ酸ナトリウムは、式Ｎａ2（ＳｉＯ2）nＯを有する化合物に対する一般名称である。ケイ酸ナトリウムは、典型的に、水中で容易に可溶性であり、アルカリ性溶液を生成する、白色粉末である。この系列の公知のメンバは、メタケイ酸ナトリウム、Ｎａ2ＳｉＯ3である。他のメンバとしては、オルトケイ酸ナトリウム、Ｎａ4ＳｉＯ4、ピロケイ酸ナトリウム、Ｎａ6Ｓｉ2Ｏ7、および他のものが挙げられる。全ては、ガラス状であり、水に溶解する。好適なメタケイ酸塩ナトリウムは、商標名ＵＮＩＦＬＯ（商標）（Ｏｃｃｉｄｅｎｔａｌ  Ｃｈｅｍｉｃａｌ  Ｃｏｒｐ．，ＴＸ）の下で販売されている。オルトケイ酸ナトリウムおよびピロケイ酸ナトリウムもまた、使用されてもよい。
【０００６】
亜鉛酸塩の好ましい例は、水溶性塩基性亜鉛酸塩である。可溶化酸化亜鉛が使用されてもよい。酸化亜鉛溶液は、アルカリ性溶液、例えば、アンモニアまたは水酸化ナトリウム溶液中に酸化亜鉛粉末を溶解させることによって、調製することができる。可溶化形態の酸化亜鉛は、酸化亜鉛溶液＃１（ＢＡＳＦ  Ｃｏｒｐ．）として商業的に入手可能である。
【０００７】
アルミン酸塩の好ましい例は、水溶性塩基性アルミン酸塩である。可溶化酸化アルミニウムは、アルカリ性溶液、好ましくは、過剰なアルカリ性溶液、例えば、水酸化アンモニウムまたは水酸化ナトリウム溶液中に酸化または水酸化アルミニウムを溶解させることによって、調製することができる。アルミン酸塩溶液が得られる。
【０００８】
チタン酸塩の好ましい例は、溶媒可溶性チタン酸塩である。チタン酸塩の例としては、チタンアルコキシド、チタンアルカンジオネート（ａｌｋａｎｅｄｉｏｎａｔｅ）、チタンラクテート、チタンアミノアルコキシド、およびこれらの組み合わせが挙げられる。好適なチタンアルコキシドの例としては、チタン（ＩＶ）エトキシド、およびＴＹＺＯＲ（商標）商標名（ＤｕＰｏｎｔ  Ｃｈｅｍｉｃａｌ  Ｃｏ．）の下で販売されるチタン酸塩が挙げられる。チタン酸塩のさらなる例としては、二酸化チタンのエステル、例えば、有機オルトエステルが挙げられる。
【０００９】
本実施形態の一態様において、「需要に応じた」乾燥消去書き込み表面を生成するための組成物は、組成物が乾燥して（支持基板への適用後）、需要に応じた乾燥消去書き込み表面を形成するにつれて、有色から無色に色を変化させる、ｐＨ指示薬をさらに含み得る。「需要に応じた」乾燥消去書き込み表面を生成するための組成物における使用のための好適なｐＨ指示薬としては、ｏ−クレゾールフタレイン、フェノールフタレイン、チモールフタレイン、ｍ−ニトロフェノール、ｐ−ニトロフェノール、シアニン、ビス−（２，４−ジニトロ−フェニル）酢酸エチルエステル、およびこれらの混合物が挙げられるが、これらに限定されない。
【００１０】
規制上の理由から、「需要に応じた」乾燥消去書き込み表面を生成するための組成物の溶媒は、好ましくは、水性である。「需要に応じた」乾燥消去書き込み表面を生成するための組成物における使用のための好適な水溶性化合物としては、酸化物、ケイ酸塩、亜鉛酸塩、アルミン酸塩、およびこれらの混合物が挙げられるが、これらに限定されない。例えば、水溶性化合物は、酸化亜鉛、メタケイ酸塩、ピロケイ酸塩、オルトケイ酸塩、酸化アルミニウム、水酸化アルミニウム、およびこれらの混合物から成る群より選択され得る。「需要に応じた」乾燥消去書き込み表面を生成するためのかかる水性組成物はまた、有利に、組成物が、書き込まれたマーキングを受け入れる準備ができている、需要に応じた乾燥消去書き込み表面を提供するように、十分に乾燥した時を示す、容易に識別可能な視覚的指示薬を提供するように、ｐＨ指示薬を含むことができる。１つの好ましい水溶性化合物は、ケイ酸ナトリウムである。
【００１１】
より速い乾燥時間が所望される時、「需要に応じた」乾燥消去書き込み表面を生成するための組成物において、有機溶媒を使用することが有利であり得る。好適な有機溶媒としては、炭化水素およびハロ置換炭化水素が挙げられる。例示的な炭化水素としては、約４〜約３０個の炭素原子、または約４〜約２０個の炭素原子、または好ましくは約６〜約２０個の炭素原子を有する、揮発性分岐鎖炭化水素が挙げられる。かかる炭化水素としては、例えば、Ｅｘｘｏｎ  Ｃｈｅｍｉｃａｌ  Ｃｏｍｐａｎｙ（Ｂａｙｔｏｗｎ，Ｔｅｘ．ＵＳＡ）から、Ｉｓｏｐａｒ  Ｍ（Ｃ１３−Ｃ１４  Ｉｓｏｐａｒａｆｆｉｎ）、Ｉｓｏｐａｒ  Ｃ（Ｃ７−Ｃ８  Ｉｓｏｐａｒａｆｆｉｎ）、Ｉｓｏｐａｒ  Ｅ（Ｃ８−Ｃ９  Ｉｓｏｐａｒａｆｆｉｎ）、Ｉｓｏｐａｒ  Ｇ（Ｃ１０−Ｃ１１  Ｉｓｏｐａｒａｆｆｉｎ）、Ｉｓｏｐａｒ  Ｌ（Ｃ１１−Ｃ１３  Ｉｓｏｐａｒａｆｆｉｎ）、Ｉｓｏｐａｒ  Ｈ（Ｃ１１−Ｃ１２  Ｉｓｏｐａｒａｆｆｉｎ）として商業的に入手可能なイソパラフィンが挙げられる。好適な分岐鎖炭化水素の他の非限定的な例は、Ｐｒｅｓｐｅｒｓｅ，Ｉｎｃ．（Ｓｏｕｔｈ  Ｐｌａｉｎｆｉｅｌｄ，ＮＪ）から、Ｐｅｒｍｅｔｈｙｌ  ９９Ａ（イソドデカン）、Ｐｅｒｍｅｔｈｙｌ  １０２Ａ（イソエイコサン）、およびＰｅｒｍｅｔｈｙｌ  １０１Ａ（イソヘキサデカン）として商業的に入手可能である。好適な分岐鎖炭化水素の他の非限定的な例としては、Ｐｈｉｌｌｉｐｓ  ＣｈｅｍｉｃａｌからＳｏｌｔｒｏｌ  １３０、Ｓｏｌｔｒｏｌ  １７０として入手可能なもの、ならびにＳｈｅｌｌからＳｈｅｌｌ  Ｓｏｌ  ７０、Ｓｈｅｌｌ  Ｓｏｌ  ７１、およびＳｈｅｌｌ  Ｓｏｌ  ２０３３として入手可能なものといった、石油蒸留物が挙げられる。追加の好適な炭化水素としては、ドデカン、オクタン、デカン、水素化ポリイソブタン（ｐｏｌｙｉｓｏｂｕｔａｎｅ）、およびこれらの組み合わせが挙げられる。例えば、Ｎｏｒｐａｒ  １２、Ｎｏｒｐａｒ  １３、およびＮｏｒｐａｒ  １５といった、Ｅｘｘｏｎ  Ｃｈｅｍｉｃａｌ  Ｃｏｍｐａｎｙから入手可能なパラフィンのＮｏｒｐａｒシリーズを、担体溶媒として使用することができる。なお別の例としては、ＥｘｘｏｎからＥｘｘＳｏｌ（商標）Ｄ８０として入手可能なものといった、Ｃ１１−Ｃ１５アルカン／シクロアルカンが挙げられる。好適な有機溶媒可溶性化合物としては、チタンアルコキシド、チタンアルカンジオネート（ａｌｋａｎｅｄｉｏｎａｔｅ）、チタンラクテート、チタンアミノアルコキシド、およびこれらの混合物から成る群より選択される、チタン酸塩が挙げられるが、これらに限定されない。
【００１２】
表面へのより良好な接着を提供するために、「需要に応じた」乾燥消去書き込み表面を生成するための組成物は、樹脂および／またはシランをさらに含み得る。例えば、「需要に応じた」乾燥消去書き込み表面を生成するための組成物は、アミノ官能性シラン、アルキル官能性シラン、エポキシ官能性シラン、フルオロアルキル官能性シラン、ビニル官能性シランから成る群より選択される、シランをさらに含み得る。好適なアミノ官能性シランは、ＤＹＮＡＳＹＬＡＮ（登録商標）商標名（Ｅｖｏｎｉｋ  Ｉｎｄｕｓｔｒｉｅｓ）の下で入手可能である。
【００１３】
本発明はまた、流体を含む筐体と、流体を分注するための適用要素と、を備え、流体は、本明細書において説明されるような本発明に従う、需要に応じた乾燥消去書き込み表面を生成するための組成物を含む、流体アプリケータを提供する。
【００１４】
任意の既知の流体アプリケータを使用することができる。需要に応じた乾燥消去書き込み組成物を格納するためのインクリザーバ（線維状リザーバまたはいわゆるフリーインクリザーバであるかどうかにかかわらず）、およびインクリザーバと流体連通するニブから成るマーカは、公知であり、本発明に従う「需要に応じた」乾燥消去書き込み表面を生成するための流体組成物を分注するために使用することができる。ボトルを封止するためのキャップを含むボトルであって、キャップが、キャップの下側から突出する柄の端部に取設される、複数のブラシの毛または泡ウェッジといった、アプリケータを含む、ボトルもまた、公知であり、本発明に従う「需要に応じた」乾燥消去書き込み表面を生成するための流体組成物を分注するために使用することができる。スプレー缶の内容物と流体連通するノズルを含むスプレー缶もまた、公知であり、本発明に従う「需要に応じた」乾燥消去書き込み表面を生成するための流体組成物を分注するために使用することができる。堆積されたコーティング（およびしたがって、生成された需要に応じた乾燥消去書き込み表面）の厚さは、流体粘度および適用されたコーティングの数を介して制御することができる。
【００１５】
このため、本発明はまた、需要に応じた乾燥消去表面を生成する方法を提供する。該方法によると、「需要に応じた」乾燥消去書き込み表面を生成するための組成物を含む流体アプリケータが提供され、流体アプリケータを起動して、支持基板の表面上に流体組成物を分注し、流体組成物を乾燥させて、需要に応じた乾燥消去表面を提供する。先に言及されるように、組成物または「需要に応じた」乾燥消去書き込み表面を生成することが水性である時、ｐＨ指示薬は、組成物が、書き込まれたマーキングを受け入れる準備ができている、需要に応じた乾燥消去書き込み表面を提供するように、十分に乾燥した時を示す、容易に識別可能な視覚的指示薬を提供するように、含まれ得る。
【００１６】
有利に、乾燥後、生成された需要に応じた乾燥消去表面は、次いで、消費者によって使用され得る。このため、該方法は、（ｉ）インクリザーバおよび多孔性ニブから成る乾燥消去毛管作用マーカを提供することであって、インクリザーバは、乾燥消去インク組成物を含有する、提供することと、任意に、（ｉｉ）毛管作用マーカのニブを、需要に応じた乾燥消去表面に接触させて、乾燥消去表面上に書き込まれたマークを作製することと、をさらに含み得る。加えて、該方法は、消費者によって以前に作製された書き込まれたマークを消去することをさらに含み得る。
【００１７】
代替的に、本明細書において開示される「需要に応じた」乾燥消去書き込み表面を生成するための組成物は、浸漬コーティング、フレキソ印刷、グラビア印刷、オフセット印刷、インクジェット印刷、スタンピング、噴霧、ブラッシング、ローリング、パフィング等が挙げられるが、これらに限定されない、他のフィルム堆積方法を使用して、堆積させることができる。
【００１８】
本明細書において開示される「需要に応じた」乾燥消去書き込み表面を生成するための組成物、それを支持基板に適用するための流体アプリケータ、ならびに「需要に応じた」乾燥消去書き込み表面を生成する、およびその上に乾燥消去マーキングを作製するための方法は、以下の実施例を踏まえてより良好に理解され得、これらは、該組成物を例解することを意図されるに過ぎず、いかようにもその範囲を制限することを意味しない。
実施例
【００１９】
「需要に応じた」乾燥消去書き込み表面を生成するための組成物は、示される量で、以下に特定される成分を用いて調製した。組成物を支持基板表面に適用して、「需要に応じた」乾燥消去書き込み表面を提供した。書き込まれたマークは、Ｎｅｗｅｌｌ  Ｒｕｂｂｅｒｍａｉｄ  Ｏｆｆｉｃｅ  Ｐｒｏｄｕｃｔｓ（Ｏａｋｂｒｏｏｋ，ＩＬ）から入手可能なＥＸＰＯ（登録商標）乾燥消去マーカを使用して、生成された乾燥消去書き込み表面に適用した。「需要に応じた」乾燥消去書き込み表面は、その後適用された書き込まれたマークをはっきりと受け入れ、提示した。加えて、書き込まれたマークは、容易に除去され、このため、「需要に応じた」乾燥消去書き込み表面は、（永続的な）望ましくない書き込まれたマークに対する良好な保護および耐汚染性を実証した。
【００２０】
【表１】
2016509619.tif 000002
【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
流体アプリケータであって、
流体を含む筐体と、
前記流体を分注するための適用要素と、を備え、前記流体は、溶媒、ならびにケイ酸塩、亜鉛酸塩、アルミン酸塩、チタン酸塩、およびこれらの混合物から選択される、少なくとも１つの可溶性無機化合物を含み、前記可溶性無機化合物は、前記溶媒中で可溶性である、流体アプリケータ。
【請求項２】
前記流体は、ｐＨ指示薬をさらに含む、請求項１に記載の流体アプリケータ。
【請求項３】
前記ｐＨ指示薬は、ｏ−クレゾールフタレイン、フェノールフタレイン、チモールフタレイン、ｍ−ニトロフェノール、ｐ−ニトロフェノール、シアニン、ビス−（２，４−ジニトロ−フェニル）酢酸エチルエステル、およびこれらの混合物から成る群より選択される、請求項２に記載の流体アプリケータ。
【請求項４】
前記溶媒は、水性であり、前記可溶性無機化合物は、ケイ酸塩、亜鉛酸塩、アルミン酸塩、およびこれらの混合物から選択される、水溶性無機化合物である、いずれかの先行請求項に記載の流体アプリケータ。
【請求項５】
前記水溶性無機化合物は、メタケイ酸塩、ピロケイ酸塩、オルトケイ酸塩、水酸化アルミニウム、およびこれらの混合物から成る群より選択される、請求項４に記載の流体アプリケータ。
【請求項６】
前記溶媒は、水性であり、前記可溶性化合物は、少なくとも１つのアルカリ金属ケイ酸塩を含む水溶性無機化合物である、請求項１〜３のいずれかに記載の流体アプリケータ。
【請求項７】
前記水溶性無機化合物は、ケイ酸ナトリウムである、請求項４に記載の流体アプリケータ。
【請求項８】
前記溶媒は、有機溶媒であり、前記可溶性無機化合物は、チタンアルコキシド、チタンアルカンジオネート（ａｌｋａｎｅｄｉｏｎａｔｅ）、チタンラクテート、チタンアミノアルコキシド、およびこれらの混合物から成る群より選択される、チタン酸塩である、請求項１に記載の流体アプリケータ。
【請求項９】
前記流体は、樹脂および／またはシランをさらに含む、いずれかの先行請求項に記載の流体アプリケータ。
【請求項１０】
前記流体は、アミノ官能性シラン、アルキル官能性シラン、エポキシ官能性シラン、フルオロアルキル官能性シラン、ビニル官能性シランから成る群より選択される、シランをさらに含む、請求項８に記載の流体アプリケータ。
【請求項１１】
前記流体アプリケータは、マーカ、それに連結される適用要素を含むボトル、およびスプレー缶から成る群より選択される、請求項１〜９のいずれかに記載の流体アプリケータ。
【請求項１２】
需要に応じた乾燥消去表面を生成する方法であって、
請求項１〜１１のいずれかに記載の流体アプリケータを提供することと、
支持基板上に前記流体を分注することと、
前記流体を乾燥させて、前記支持基板上に需要に応じた乾燥消去表面を提供することと、を含む、方法。
【請求項１３】
前記流体が乾燥した後に、インクリザーバおよび多孔性ニブから成る乾燥消去毛管作用マーカを提供することであって、前記インクリザーバは、乾燥消去インク組成物を含有する、提供することと、前記毛管作用マーカの前記ニブを、前記需要に応じた乾燥消去表面に接触させて、書き込まれたマークを作製することと、をさらに含む、請求項１２に記載の方法。
【請求項１４】
前記書き込まれたマークを消去することをさらに含む、請求項１３に記載の方法。
【請求項１５】
需要に応じた乾燥消去表面を生成するための組成物であって、
溶媒と、
ケイ酸塩、亜鉛酸塩、アルミン酸塩、チタン酸塩、およびこれらの混合物から選択される、少なくとも１つの可溶性無機化合物と、を含み、前記可溶性無機化合物は、前記溶媒中で可溶性である、組成物。
【請求項１６】
ｐＨ指示薬をさらに含む、請求項１５に記載の組成物。
【請求項１７】
前記ｐＨ指示薬は、ｏ−クレゾールフタレイン、フェノールフタレイン、チモールフタレイン、ｍ−ニトロフェノール、ｐ−ニトロフェノール、シアニン、ビス−（２，４−ジニトロ−フェニル）酢酸エチルエステル、およびこれらの混合物から成る群より選択される、請求項１６に記載の組成物。
【請求項１８】
前記溶媒は、水性であり、前記可溶性無機化合物は、ケイ酸塩、亜鉛酸塩、アルミン酸塩、およびこれらの混合物から選択される、水溶性無機化合物である、請求項１５〜１７のいずれかに記載の組成物。
【請求項１９】
前記水溶性無機化合物は、メタケイ酸塩、ピロケイ酸塩、オルトケイ酸塩、水酸化アルミニウム、およびこれらの混合物から成る群より選択される、請求項１８に記載の組成物。
【請求項２０】
前記水溶性無機化合物は、ケイ酸ナトリウムである、請求項１７に記載の組成物。
【請求項２１】
前記溶媒は、有機溶媒であり、前記無機可溶性化合物は、チタンアルコキシド、チタンアルカンジオネート（ａｌｋａｎｅｄｉｏｎａｔｅ）、チタンラクテート、チタンアミノアルコキシド、およびこれらの混合物から成る群より選択される、チタン酸塩である、請求項１５に記載の組成物。
【請求項２２】
樹脂および／またはシランをさらに含む、請求項１５〜２１のいずれかに記載の組成物。
【請求項２３】
前記組成物は、アミノ官能性シラン、アルキル官能性シラン、エポキシ官能性シラン、フルオロアルキル官能性シラン、ビニル官能性シラン、およびこれらの混合物から成る群より選択される、シランを含む、請求項２２に記載の組成物。
【請求項２４】
請求項１〜１１のいずれかに記載の流体アプリケータと、
インクリザーバおよび多孔性ニブから成る乾燥消去毛管作用マーカと、を含む、キットであって、前記インクリザーバは、乾燥消去インク組成物を含有する、キット。
【国際調査報告】
2016509619.tif 000003
2016509619.tif 000004
2016509619.tif 000005